(57)【要約】    【課題】  弾力性を有する材料からなるにもかかわらず隣接マットブロックとの連結維持の確実性が高い連結マット及び連結マット用マットブロックの提供。    【解決手段】  主マットブロックＩは、平面視正方形状のマットブロック本体の各辺における左右対称位置に、連結腕Ａと、その辺の内方部に位置する本体結合部Ｊを備える。連結腕Ａは、腕部Ａ１の先端側に腕体結合部Ａ２を有してなる。腕体結合部Ａ２は下向きの嵌合凸部Ａ３と、その嵌合凸部Ａ３に形成された横方向外方突部Ａ４を有する。本体結合部Ｊと本体の外周の間の側縁部におけるマットブロック本体の上側に、本体結合部Ｊと本体の外周の間にわたる上方開口の溝状部Ｔを備える。本体結合部Ｊは、上下方向の嵌合孔部Ｊ１と嵌合孔部Ｊ１の下方部に位置する横方向外方凹部Ｊ２を有する。【選択図】      図３
2011030757.tif 000002
【特許請求の範囲】
【請求項１】
弾力性を有する材料からなる複数のマットブロックが隣接連結してなる連結マットであって、
前記の隣接連結したマットブロックは、マットブロック本体から側方へ延びる腕部の先端側に腕体結合部を有してなる連結腕を備えたマットブロックと、マットブロック本体における内方部に本体結合部を備えると共に、その本体結合部と本体の外周の間の側縁部における上側又は下側に、本体結合部と本体の外周の間にわたる溝状部を備えたマットブロックであり、
前記腕体結合部は上下方向の嵌合凸部を有し、前記本体結合部は上下方向の嵌合孔部若しくは嵌合凹部を有し、腕体結合部と本体結合部の一方は横方向突部を、他方は横方向凹部を有し、
前記隣接マットブロックの連結は、腕体結合部の嵌合凸部と本体結合部の嵌合孔部若しくは嵌合凹部が上下方向に嵌合すると共に、前記溝状部に前記腕部が嵌合し、且つ、前記横方向突部と横方向凹部が係合することにより維持されることを特徴とする連結マット。
【請求項２】
上記腕体結合部は横方向外方突部を有し、上記本体結合部は横方向外方凹部を有する請求項１記載の連結マット。
【請求項３】
上記本体結合部が上下方向の嵌合孔部を有する請求項１又は２記載の連結マット。
【請求項４】
弾力性を有する材料からなるマットブロックであって、
マットブロック本体から側方へ延びる腕部の先端側に腕体結合部を有してなる連結腕を有すると共に、マットブロック本体における内方部に本体結合部を備え、その本体結合部と本体の外周の間の側縁部における上側又は下側に、本体結合部と本体の外周の間にわたる溝状部を備えており、
前記腕体結合部は上下方向の嵌合凸部を有し、前記本体結合部は上下方向の嵌合孔部若しくは嵌合凹部を有し、腕体結合部と本体結合部の一方は横方向突部を、他方は横方向凹部を有し、
複数のマットブロックの隣接連結は、腕体結合部の嵌合凸部と本体結合部の嵌合孔部若しくは嵌合凹部が上下方向に嵌合すると共に、前記溝状部に前記腕部が嵌合し、且つ、前記横方向突部と横方向凹部が係合することにより維持されることを特徴とする連結マット用マットブロック。
【請求項５】
弾力性を有する材料からなる複数のマットブロックであって、
前記マットブロックの一つは、マットブロック本体から側方へ延びる腕部の先端側に腕体結合部を有してなる連結腕を備えてなり、
前記マットブロックの別の一つは、マットブロック本体における内方部に本体結合部を備えると共に、その本体結合部と本体の外周の間の側縁部における上側又は下側に、本体結合部と本体の外周の間にわたる溝状部を備えており、
前記腕体結合部は上下方向の嵌合凸部を有し、前記本体結合部は上下方向の嵌合孔部若しくは嵌合凹部を有し、腕体結合部と本体結合部の一方は横方向突部を、他方は横方向凹部を有し、
前記一方のマットブロックと他方のマットブロックの隣接連結は、腕体結合部の嵌合凸部と本体結合部の嵌合孔部若しくは嵌合凹部が上下方向に嵌合すると共に、前記溝状部に前記腕部が嵌合し、且つ、前記横方向突部と横方向凹部が係合することにより維持されることを特徴とする連結マット用マットブロック。
【発明の詳細な説明】
【技術分野】
【０００１】
弾力性を有する材料からなる複数のマットブロックを連結してなるマット及びそのマットブロックを構成する連結マット用マットブロックに関する。
【背景技術】
【０００２】
実用新案登録第３１３７６８４号公報に、同一の他のジョイントマットと繋げられて敷き詰められるように構成されたジョイントマットとして、
「その平面形状が正方形である本体と、この本体に設けられており他のジョイントマットと係合しうる複数の凸部と、これらの凸部により形成されており他のジョイントマットと係合しうる複数の凹部とを備えており、
これらの凸部が、この本体の辺に配置されるメイン凸部と、この本体の角に配置されるコーナー凸部とを含んでおり、
これらの凹部が、この本体の辺に配置されるメイン凹部と、この本体の角に配置されるコーナー凹部とを含んでおり、
このメイン凸部の形状とこのメイン凹部の形状とが、同じであり、
このジョイントマットの平面形状が、この本体の１つの対角線に対して対称とされているジョイントマット」
が記載されている。
【０００３】
この種のジョイントマットは、発泡樹脂等の弾力性を有する比較的軟質の材料からなるため、周縁部に設けられた凸部と凹部の嵌合による他のジョイントマットとの連結が容易であるが、連結状態で長期にわたり又は高負荷状態で使用する場合に、比較的連結が解除され易いという課題を有する。
【先行技術文献】
【特許文献】
【０００４】
【特許文献１】実用新案登録第３１３７６８４号公報
【発明の概要】
【発明が解決しようとする課題】
【０００５】
本発明は、従来技術における上記のような課題に鑑み行われたものであって、その目的とするところは、弾力性を有する材料からなるにもかかわらず隣接マットブロックとの連結維持の確実性が高い連結マット及び連結マット用マットブロックを提供することにある。
【課題を解決するための手段】
【０００６】
本発明の連結マットは、
弾力性を有する材料からなる複数のマットブロックが隣接連結してなる連結マットであって、
前記の隣接連結したマットブロックは、マットブロック本体から側方へ延びる腕部の先端側に腕体結合部を有してなる連結腕を備えたマットブロックと、マットブロック本体における内方部に本体結合部を備えると共に、その本体結合部と本体の外周の間の側縁部における上側又は下側に、本体結合部と本体の外周の間にわたる溝状部を備えたマットブロックであり、
前記腕体結合部は上下方向の嵌合凸部を有し、前記本体結合部は上下方向の嵌合孔部若しくは嵌合凹部を有し、腕体結合部と本体結合部の一方は横方向突部を、他方は横方向凹部を有し、
前記隣接マットブロックの連結は、腕体結合部の嵌合凸部と本体結合部の嵌合孔部若しくは嵌合凹部が上下方向に嵌合すると共に、前記溝状部に前記腕部が嵌合し、且つ、前記横方向突部と横方向凹部が係合することにより維持されることを特徴とする。
【０００７】
本発明の連結マット用マットブロックは、
弾力性を有する材料からなるマットブロックであって、
マットブロック本体から側方へ延びる腕部の先端側に腕体結合部を有してなる連結腕を有すると共に、マットブロック本体における内方部に本体結合部を備え、その本体結合部と本体の外周の間の側縁部における上側又は下側に、本体結合部と本体の外周の間にわたる溝状部を備えており、
前記腕体結合部は上下方向の嵌合凸部を有し、前記本体結合部は上下方向の嵌合孔部若しくは嵌合凹部を有し、腕体結合部と本体結合部の一方は横方向突部を、他方は横方向凹部を有し、
複数のマットブロックの隣接連結は、腕体結合部の嵌合凸部と本体結合部の嵌合孔部若しくは嵌合凹部が上下方向に嵌合すると共に、前記溝状部に前記腕部が嵌合し、且つ、前記横方向突部と横方向凹部が係合することにより維持されることを特徴とする。
【０００８】
また本発明の別の連結マット用マットブロックは、
弾力性を有する材料からなる複数のマットブロックであって、
前記マットブロックの一つは、マットブロック本体から側方へ延びる腕部の先端側に腕体結合部を有してなる連結腕を備えてなり、
前記マットブロックの別の一つは、マットブロック本体における内方部に本体結合部を備えると共に、その本体結合部と本体の外周の間の側縁部における上側又は下側に、本体結合部と本体の外周の間にわたる溝状部を備えており、
前記腕体結合部は上下方向の嵌合凸部を有し、前記本体結合部は上下方向の嵌合孔部若しくは嵌合凹部を有し、腕体結合部と本体結合部の一方は横方向突部を、他方は横方向凹部を有し、
前記一方のマットブロックと他方のマットブロックの隣接連結は、腕体結合部の嵌合凸部と本体結合部の嵌合孔部若しくは嵌合凹部が上下方向に嵌合すると共に、前記溝状部に前記腕部が嵌合し、且つ、前記横方向突部と横方向凹部が係合することにより維持されることを特徴とする。
【０００９】
隣接マットブロックのうち一方は連結腕を備える。他方のマットブロックはマットブロック本体における内方部に本体結合部を備えると共に、その本体結合部と本体の外周の間の側縁部における上側又は下側に、本体結合部と本体の外周の間にわたる溝状部を備える。
【００１０】
腕体結合部の嵌合凸部と本体結合部の嵌合孔部若しくは嵌合凹部が上下方向に嵌合すると共に、前記溝状部に前記腕部が嵌合し、且つ、前記横方向突部と横方向凹部が係合することにより、腕体結合部と本体結合部の結合及び隣接マットブロックの連結が維持される。本体結合部は本体の外周に開放されておらず、本体結合部と本体の外周の間の側縁部は本体の外周に沿って結合しているので、本体結合部は、弾力性を有する材料からなるものでありながら比較的変形し難い。この点において、弾力性を有する材料であるにもかかわらず隣接マットブロックの連結維持の確実性が高い。
【００１１】
上記連結マット及び連結マット用マットブロックは、上記腕体結合部が横方向外方突部を有し、上記本体結合部が横方向外方凹部を有するものとすることができる。
【００１２】
また上記連結マット及び連結マット用マットブロックは、上記本体結合部が上下方向の嵌合孔部を有するものとすることができる。
【発明の効果】
【００１３】
腕体結合部の嵌合凸部と本体結合部の嵌合孔部若しくは嵌合凹部が上下方向に嵌合すると共に、前記溝状部に前記腕部が嵌合し、且つ、前記横方向突部と横方向凹部が係合することにより、腕体結合部と本体結合部の結合及び隣接マットブロックの連結が維持される。本体結合部は本体の外周に開放されておらず、本体結合部と本体の外周の間の側縁部は本体の外周に沿って結合しているので、本体結合部は、弾力性を有する材料からなるものでありながら比較的変形し難い。この点において、弾力性を有する材料であるにもかかわらず隣接マットブロックの連結維持の確実性が高い。
【図面の簡単な説明】
【００１４】
【図１】主マットブロックの平面図である。
【図２】主マットブロックの正面図である。
【図３】主マットブロックの底面図である。
【図４】図１におけるIV−IV線の要部断面図である。
【図５】図１におけるV−V線の要部断面図である。
【図６】図１におけるVI−VI線の要部断面図である。
【図７】図１におけるVII−VII線の要部断面図である。
【図８】側縁マットブロックの平面図である。
【図９】側縁マットブロックの正面図である。
【図１０】角マットブロックの平面図である。
【図１１】角マットブロックの正面図である。
【図１２】連結マットの平面概略図である。
【発明を実施するための形態】
【００１５】
本発明の実施の形態を、図面を参照しつつ説明する。
【００１６】
図面は何れも本発明の実施の形態に関するものである。
【００１７】
(1) 連結マットＭは、平面長方形状をなし、４つの角部をそれぞれ構成する４個の角マットブロックＣと、側縁部を構成する複数個の側縁マットブロックＳと、それらの角マットブロックＣ及び側縁マットブロックＳに囲まれた内側部分を構成する複数個の主マットブロックＩとが連結されてなる。なお、連結マットＭは、必ずしもこれら全ての種類のマットブロックを用いることを要するものではない。
【００１８】
連結マットＭを構成する主マットブロックＩ、側縁マットブロックＳ及び角マットブロックＣにおける各マットブロック本体Ｉａ、Ｓａ、Ｃａは、何れも平面視正方形状をなす。各マットブロックの高さは実質上等しい。これらのマットブロックは、何れもゴムチップを一体成形してなるものであり、マットとして十分なクッション性を実現する弾力性を有すると共に、表面の防滑性をも備える。何れのマットブロックも、上面には格子状溝Ｇが設けられており、底面には正方形状の凹部Ｒが升目状に配列されている。上面の格子状溝Ｇ（格子状に限らない）は、滑止用である。底面の凹部Ｒ（正方形状に限らず、升目状配列に限らない。）は、冬季屋外使用によりマット上面に氷結が生じたような場合に、上面からの踏下又は押下等により、凹部Ｒが下方へ押し込まれるようにマットブロックが弾性的に変形してマット上面に付着した氷を脱離させるこをと可能とし、これにより、氷結により滑って転倒する事故等が生じることを防止することができる。
【００１９】
主マットブロックＩは、平面視正方形状のマットブロック本体Ｉａの各辺における左右対称位置に、その辺に対し直交するように側方へ延びる連結腕Ａと、その辺の内方部に位置する本体結合部Ｊを備える。各辺に２以上の連結腕Ａ及び本体結合部Ｊを有する場合においても、各連結腕Ａは、本体結合部Ｊと、各辺における左右対称位置に位置する。
【００２０】
連結腕Ａは、平面視長方形状で主マットブロック１の高さの約半分の厚さの腕部Ａ１の先端側に、平面視長方形状の腕体結合部Ａ２を有してなる。腕体結合部Ａ２は下向きの嵌合凸部Ａ３と、その嵌合凸部Ａ３の下部に形成された横方向外方突部Ａ４を有する。嵌合凸部Ａ３を含む腕体結合部Ａ２の厚さは主マットブロック１の高さと同じである。横方向外方突部Ａ４は、嵌合凸部Ａ３の両側辺及び先端側辺にわたり所定幅張り出してなる。
【００２１】
本体結合部Ｊと本体の外周の間の側縁部におけるマットブロック本体Ｉａの上側に、本体結合部Ｊと本体の外周の間にわたる上方開口の溝状部Ｔを備える。溝状部Ｔの深さは主マットブロック１の高さの約半分であり、腕部Ａ１がほぼぴったり嵌合する。本体結合部Ｊは、平面視方形状の上下方向の嵌合孔部Ｊ１と嵌合孔部Ｊ１の下方部に位置する横方向外方凹部Ｊ２を有する。横方向外方凹部Ｊ２は、嵌合孔部Ｊ１の両側辺及び基端側辺にわたる所定幅の凹部である。この例における横方向外方凹部Ｊ２は、下方に開放した状態であるが、これに限るものではない。嵌合孔部Ｊ１の下部は閉塞状であるものとすることもできる。
【００２２】
主マットブロックＩ同士（第１主マットブロックＩ１と第２主マットブロックＩ２）の隣接連結は、図１における左上部及び図７に示されるように、第２主マットブロックＩ２における腕体結合部Ａ２の嵌合凸部Ａ３と第１主マットブロックＩ１における本体結合部Ｊの嵌合孔部Ｊ１が上下方向に嵌合すると共に、第１主マットブロックＩ１の溝状部Ｔに第２主マットブロックＩ２の腕部Ａ１が上方から嵌合し、且つ、嵌合凸部Ａ３に形成された横方向外方突部Ａ４と嵌合孔部Ｊ１の下方部に位置する横方向外方凹部Ｊ２が係合することにより実現され且つ維持される。本体結合部Ｊと本体の外周の間に溝状部Ｔを備えるため、本体結合部Ｊは本体の外周に開放されておらず、本体結合部Ｊと本体の外周の間の側縁部は本体の外周に沿って結合している。そのため、本体結合部Ｊは、弾力性を有する材料からなるものでありながら比較的変形し難い。この点において、弾力性を有する材料であるにもかかわらず隣接マットブロックの連結維持の確実性が高い。
【００２３】
側縁マットブロックＳは、３辺については主マットブロックＩと同様に連結腕Ａ並びに本体結合部Ｊ（及び溝状部Ｔ）を有する。側縁マットブロックＳの残りの１辺の外側縁部は、上面が外方に向かって下降傾斜し、連結腕Ａ並びに本体結合部Ｊ（及び溝状部Ｔ）が存在しない。
【００２４】
角マットブロックＣは、隣り合う２辺については主マットブロックＩと同様に連結腕Ａ並びに本体結合部Ｊ（及び溝状部Ｔ）を有する。角マットブロックＣの他の隣り合う２辺の外側縁部は、上面が外方に向かって下降傾斜し、連結腕Ａ並びに本体結合部Ｊ（及び溝状部Ｔ）が存在しない。
【００２５】
側縁マットブロックＳ同士の連結、角マットブロックＣ同士の連結、主マットブロックＩと側縁マットブロックＳと角マットブロックＣの何れか２種のマットブロックの連結は、何れも、上記主マットブロックＩ同士の連結と同様に行われ得る。
【００２６】
(2) マットブロックの材料となり得る弾力性（例えばゴム状弾性）を有する材料の例としては、上記の例の他、合成ゴムエラストマー、天然ゴムエラストマー、熱可塑性エラストマー、発泡ポリエチレンやＥＶＡフォームなどの発泡合成樹脂、弾力性のある熱可塑性樹脂等を挙げることができる。
【００２７】
互いに隣接連結される主マットブロック同士は、上記例のように同一構成のものを用いることが望ましいが、複数種の構成のものを用いることもできる。
【００２８】
同一構成の主マットブロックとしては、上記のように連結腕と本体結合部（及び溝状部）を何れの辺にも有するものの他、隣り合う一対の辺には連結腕を有し、残りの隣り合う一対の辺には、他の辺の連結腕の位置と左右対称の位置に本体結合部（及び溝状部）を有するものを例示することができる。
【００２９】
複数種の構成の主マットブロックとしては、連結腕Ａのみを有する主マットブロックと、本体結合部（及び溝状部）のみを有する主マットブロックであって、連結腕と本体結合部により互いに連結し得るものを例示することができる。
【００３０】
同様に、一つの連結マットに複数の角マットブロック又は複数の側縁マットブロックを用いる場合も、それぞれ、同一構成のものを用いることが望ましいが、複数種の構成のものを用いることもできる。
【００３１】
マットブロック本体の平面視形状は、正方形に限らず、長方形、正三角形、正五角形、正六角形等の正多角形、その他の多角形を例示することができる。
【００３２】
連結腕の腕部は、隣接連結するマットブロックの本体結合部と本体の外周の間の側縁部における上側又は下側に設けられる溝状部に嵌合するものであればよい。連結腕の腕部はマットブロック本体の外周縁に対し直交するものに限らない。
【００３３】
連結腕の腕部の先端側に有する腕体結合部は上向きの嵌合凸部を有するものであってもよく、その場合の対応する本体結合部は上下方向の嵌合孔部又は嵌合孔部の上部が閉塞状であるものとすることができ、本体結合部と本体の外周の間の側縁部におけるマットブロック本体の下側に、本体結合部と本体の外周の間にわたる下方開口の溝状部を備えるものとすることができる。
【００３４】
腕体結合部の嵌合凸部に横方向突部を有する場合、本体結合部には対応する横方向凹部を有し、腕体結合部の嵌合凸部に横方向凹部を有する場合、本体結合部には対応する横方向突部を有するものとすることができる。上記の例では、横方向突部及び横方向凹部を三方に有するが、連結維持に十分であれば、横方向突部及び横方向凹部を必ずしも三方に有することを要しない。
【００３５】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【符号の説明】
【００３６】
Ａ      連結腕
Ａ１    腕部
Ａ２    腕体結合部
Ａ３    嵌合凸部
Ａ４    横方向外方突部
Ｃ      角マットブロック
Ｃａ    マットブロック本体
Ｇ      格子状溝
Ｉ      主マットブロック
Ｉ１    第１主マットブロック
Ｉ２    第２主マットブロック
Ｉａ    マットブロック本体
Ｊ      本体結合部
Ｊ１    嵌合孔部
Ｊ２    横方向外方凹部
Ｍ      連結マット
Ｒ      凹部
Ｓ      側縁マットブロック
Ｓａ    マットブロック本体
Ｔ      溝状部
【図１】
2011030757.tif 000003
【図２】
2011030757.tif 000004
【図３】
2011030757.tif 000005
【図４】
2011030757.tif 000006
【図５】
2011030757.tif 000007
【図６】
2011030757.tif 000008
【図７】
2011030757.tif 000009
【図８】
2011030757.tif 000010
【図９】
2011030757.tif 000011
【図１０】
2011030757.tif 000012
【図１１】
2011030757.tif 000013
【図１２】
2011030757.tif 000014